(57)【要約】【課題】オペレータの操作性を改善することのできる火災関連情報表示機を得る。【解決手段】複数の端末機器のそれぞれから火災関連情報を受信する受信部と、火災発生の有無をオペレータが判断するために必要な火災判断情報を表示する表示部と、受信部により受信された火災関連情報に基づいて火災判断情報を生成し、生成した火災判断情報を表示部に表示させる制御部とを備え、制御部は、火災判断情報を文字として表示させる際に、火災判断情報に関連するイラスト画を表示部に表示させるイラスト表示機能を有する。【選択図】図３
2020017044.tif 000002
【特許請求の範囲】
【請求項１】
複数の端末機器のそれぞれから火災関連情報を受信する受信部と、
火災発生の有無をオペレータが判断するために必要な火災判断情報を表示する表示部と、
前記受信部により受信された前記火災関連情報に基づいて前記火災判断情報を生成し、生成した前記火災判断情報を前記表示部に表示させる制御部と
を備え、
前記制御部は、前記火災判断情報を文字として表示させる際に、前記火災判断情報に関連するイラスト画を前記表示部に表示させるイラスト表示機能を有する
火災関連情報表示機。
【請求項２】
前記制御部は、端末装置が操作された情報を前記火災関連情報として受信した場合には、当該端末装置のイラスト画を前記表示部に表示させる
請求項１に記載の火災関連情報表示機。
【請求項３】
前記制御部は、前記火災判断情報を文字として表示させる際に、前記火災判断情報に対応してオペレータが行う操作内容のイラスト画を前記表示部に表示させる
請求項１または２に記載の火災関連情報表示機。
【発明の詳細な説明】
【技術分野】
【０００１】
本発明は、複数の端末機器からの情報に基づいて、火災発生状況を検出する火災受信機等の火災関連情報表示機に関する。
【背景技術】
【０００２】
従来、火災の要因となる煙の発生、温度上昇、ガス漏れ等を監視する火災報知設備に用いられる火災受信機は、防災センター、管理室などに設置されている。火災受信機は、火災監視区域ごとに設置されている１以上の端末機器から信号を受信することで、火災発生の有無を判断している。
【０００３】
また、スプリンクラー設備等の消火設備を監視する消火システム制御盤も同様に防災センター、管理室等に設置されて、配管内圧力の変動等を端末機器から受信することで、火災発生の有無を判断している。
【０００４】
このような火災報知設備、消火設備において、操作方法の案内時あるいはシミュレーション時に火災監視に対し影響を与えないようにするとともに、実際の操作および火災発生時の対処方法の習得を容易とする従来技術がある（たとえば、特許文献１参照）。
【０００５】
より具体的には、特許文献１に係る防災受信機は、操作部の操作方法を案内できる表示部を有し、操作方法および状況を文字表示する機能を備えている。
【先行技術文献】
【特許文献】
【０００６】
【特許文献１】特開２００３−２０８６７３号公報
【発明の概要】
【発明が解決しようとする課題】
【０００７】
しかしながら、従来技術には、以下のような課題がある。
特許文献１に係る従来技術は、操作方法等を文字表示することで、操作性の向上を図っている。ここで、当該受信機のどこをどのように操作すればよいかをよく理解している操作者には、文字での指示で十分である。しかしながら、当該受信機の操作を十分に理解していない操作者には、文字表示だけでは分かりにくい場合も考えられ、このような操作者に対しても、迅速な操作を可能とするための機能が望まれている。
【０００８】
また、同様に警報等が何に基づいているのか、操作者が一目で分かる機能が望まれている。
【０００９】
本発明は、前記のような課題を解決するためになされたものであり、オペレータの操作性を改善することのできる火災関連情報表示機を得ることを目的とする。
【課題を解決するための手段】
【００１０】
本発明に係る火災関連情報表示機は、複数の端末機器のそれぞれから火災関連情報を受信する受信部と、火災発生の有無をオペレータが判断するために必要な火災判断情報を表示する表示部と、受信部により受信された火災関連情報に基づいて火災判断情報を生成し、生成した火災判断情報を表示部に表示させる制御部とを備え、制御部は、火災判断情報を文字として表示させる際に、火災判断情報に関連するイラスト画を表示部に表示させるイラスト表示機能を有するものである。
【発明の効果】
【００１１】
本発明によれば、複数の端末機器のそれぞれから受信した火災関連情報に基づいて、火災発生の有無をオペレータが判断するために必要な火災判断情報を表示させる際に、イラスト画を表示できる構成を備えている。この結果、オペレータの操作性を改善することのできる火災関連情報表示機を得ることができる。
【図面の簡単な説明】
【００１２】
【図１】本発明の実施の形態１に係る火災報知設備の全体構成図である。
【図２】本発明の実施の形態１に係る火災受信機の機能ブロック図である。
【図３】本発明の実施の形態１において、火災断定スイッチに関する操作ガイダンスを表示した画面例１を示す図である。
【図４】本発明の実施の形態１において、遮断スイッチに関する操作ガイダンスを表示した画面例２を示す図である。
【図５】本発明の実施の形態１において、ベル音を停止するスイッチに関する操作ガイダンスを表示した画面例３を示す図である。
【図６】本発明の実施の形態１において、発信機のリセットに関する操作ガイダンスを表示した画面例４を示す図である。
【図７】本発明の実施の形態１において、復旧スイッチに関する操作ガイダンスを表示した画面例５を示す図である。
【図８】本発明の実施の形態１において、保守電話による通話開始に関する操作ガイダンスを表示した画面例６を示す図である。
【図９】本発明の実施の形態１において、保守電話による通話終了に関する操作ガイダンスを表示した画面例７を示す図である。
【図１０】本発明の実施の形態１において、非常電話による通話開始に関する操作ガイダンスを表示した画面例８を示す図である。
【図１１】本発明の実施の形態１において、情報発信源に関する操作ガイダンスを表示した画面例９を示す図である。
【発明を実施するための形態】
【００１３】
以下、本発明の火災関連情報表示機のうち、火災受信機の好適な実施の形態につき、図面を用いて説明する。
【００１４】
実施の形態１．
図１は、本発明の実施の形態１に係る火災報知設備の全体構成図である。図１に示す火災報知設備は、火災受信機１０と、４台の端末機器２０（１）〜２０（４）と、中継器３０とを備えて構成されている。ここで、２台の端末機器２０（１）、２０（２）、および中継器３０は、火災受信機１０と直接接続されている。また、２台の端末機器２０（３）、２０（４）は、中継器３０に直接接続されており、この中継器３０を介して火災受信機１０と接続されている。なお、端末機器２０、中継器３０の個数は、この図１の例に限定されるものではない。
【００１５】
図１に示した火災報知設備は、いわゆるＲ型火災報知設備である。従って、４台の端末機器２０（１）〜２０（４）は、測定結果、感知結果等をアナログ信号として出力し、火災受信機１０側で、これらのアナログ信号の受信結果に基づいて、火災の有無を判定している。
【００１６】
また、端末機器２０の代表例としては、以下のような光電アナログ感知器および熱アナログ感知器が挙げられる。
・光電アナログ感知器
火災監視区域において、投光部から照射された光が、煙の影響を受けて減光され、受光部で受光されることで、煙の発生をアナログ値として検出できる煙感知器、あるいは、投光部から照射された光が煙の粒子によって散乱した散乱光を受光部が受光することで、煙の発生をアナログ値として検出できる煙感知器に相当する。
・熱アナログ感知器
火災監視区域において、熱をアナログ値として検出できる熱感知器に相当する。
【００１７】
また、火災監視区域における周辺状況を計測できる端末機器として、気温、気圧、湿度、ＣＯガス等を計測する計測器を用いることもできる。
【００１８】
さらに、以下のような各種センサを、端末機器として使用することも可能である。
・圧力センサ
消火システムの配管経路中に圧力センサを接続し、配管内圧力を監視することで、スプリンクラー放出などの状態を知ることができる。
【００１９】
また、４−２０ｍＡの電流計測を行う中継器を介することで、業界標準となっている４−２０ｍＡの電流計測に対応している市販のセンサ類を、端末機器２０として自由に接続することが可能となる。このセンサ類の具体例としては、ガスセンサ、炎センサが挙げられる。
【００２０】
また、ボタンが押されることで、火災が発生したことを通報する発信機を、端末機器２０として使用することも可能である。すなわち、本実施の形態１で用いられる端末機器２０は、火災受信機１０が火災発生の有無を判断するために用いられる火災関連情報を送信するものである。そして、火災関連情報は、上述したような各種の感知結果情報、計測結果情報、操作結果情報等を含んで構成されることとなる。
【００２１】
なお、端末機器２０による検出結果は、リアルタイムに得られる現在値ばかりでなく、一定期間にわたる時系列データをトレンド履歴として、火災受信機に表示させることが考えられる。そして、このようなトレンドデータを表示できる機能を持たせることで、誤発報の原因をより早急に突き止めることが可能になる。
【００２２】
たとえば、圧力センサの検出結果が、時系列データのトレンド履歴として残っていれば、一気に圧力が抜けたのか、徐々に圧力が抜けたのかなどの現象を、事後に検証することが可能となる。
【００２３】
端末機器２０としてガスセンサを用いる場合には、検出結果の時系列データとして得られたガス濃度のトレンド履歴を、事後において検証するために活用することができる。同様に、端末機器２０として炎センサを用いる場合には、検出結果の時系列データとして得られた炎の大きさのトレンド履歴を、事後において検証するために活用することができる。
【００２４】
さらに、端末機器２０として差動式熱感知器を用いて気圧を検出する場合には、急激な気圧の低下により、誤発報となってしまう場合が考えられる。このような場合にも、検出結果の時系列データとして得られた気圧のトレンド履歴を参照することで、差動式熱感知器の非火災報の原因究明を行うことができる。
【００２５】
図２は、本発明の実施の形態１に係る火災受信機１０の機能ブロック図である。なお、図１において示した複数の端末機器２０（１）〜２０（４）は、図２においては、単に複数の端末機器２０として図示されている。そして、複数の端末機器２０としては、上述したような種々の感知器、計測器が考えられ、所望の火災監視区域に設置することができる。
【００２６】
図２に示した火災受信機１０は、受信部１１、記憶制御部１２、火災判定部１３、表示制御部１４、操作制御部１５、記憶部１６、報知部１７、表示部１８、および操作部１９の各機構を備えて構成されている。なお、受信部１１、記憶制御部１２、火災判定部１３、表示制御部１４、および操作制御部１５の機能は、１つの制御部によって、まとめて実施することも可能である。
【００２７】
受信部１１は、各端末機器２０から出力されたアナログ信号をあらかじめ決められたサンプリング間隔で取得し、さらに、アナログ／デジタル変換を行ってデジタル値を生成する。なお、サンプリング間隔は、すべての端末機器２０で共通の値である必要はなく、計測すべき物理量、火災監視区域などに応じて、個別に適切な値を設定することができる。
【００２８】
記憶制御部１２は、受信部１１で生成された、それぞれの端末機器２０による検出結果のデジタル値を、順次、記憶部１６に記憶させる。この際、記憶制御部１２は、あらかじめ決められた一定時間分の時系列データが、記憶部１６内に残るように、記憶データの更新を行っていく。たとえば、１０個のデータが一定時間内に得られる時系列データについては、記憶制御部１２は、最新の１０個のデータが記憶部１６内に記憶されるように、時系列データの更新処理を行うこととなる。従って、順次更新処理が行われることで、記憶部１６内には、直近の所定期間における最新の計測値の遷移状態が、記憶されていくこととなる。
【００２９】
火災判定部１３は、記憶部１６内に記憶されている最新の時系列データまたは最新のリアルタイムデータに基づいて、火災が発生したか否かを判定する。さらに、火災判定部１３は、火災が発生したと判断した場合には、報知部１７を介して、火災発生状況を報知することができる。なお、この火災判定部１３による判定処理は、従来技術と同じであり、詳細な説明は、省略する。
【００３０】
表示制御部１４は、記憶部１６に記憶されている、各端末機器の検出履歴である時系列データに基づいて、２つ以上の端末機器の検出結果を、表示部１８の同一画面上に表示させる表示制御を行う。なお、データを同時表示させるための２つ以上の端末機器は、オペレータにより任意に選択できるようにすることができる。例えば、表示制御部１４は、すべての端末機器を１画面に一覧表示させるとともに、オペレータによる選択入力を読み取ることで、データを同時表示させるための２つ以上の端末機器を特定することができる。なお、オペレータによる選択入力は、操作部１９を介して行われ、その判断処理は、後述する操作制御部１５で行われる。
【００３１】
また、表示制御部１４は、特定された２つ以上の端末機器に関する時系列データの一部または全部を、同時に、表示部１８の１画面内に表示させる表示制御を行う。例えば、表示制御部１４は、一定期間にわたる時系列データをトレンド履歴として、表示させることもでき、最新のリアルタイムデータのみを表示させることもできる。
【００３２】
なお、火災判定部１３により火災が発生したと判断された場合には、記憶制御部１２は、更新処理を継続する一方で、火災が発生したと判断した時刻直前の所定時間分のデータを、別途保存させておくことができる。これにより、記憶部１６内には、火災が発生したと判断した時点を最新データとするトレンド履歴が、通常の更新処理されたデータとは別に保持されることとなる。この結果、表示制御部１４による表示制御を行うことで、火災が発生したと判断した時点を最新データとする時系列データを容易に表示させることができ、誤発報の原因を早急に突き止めることが可能となる。
【００３３】
具体的には、誤発報が発生した場合に、表示制御部１４は、誤発報を行った端末機器と、その端末機器と同一の火災監視区域に設定された他の端末機器と、からなる２つの時系列データを同時に表示させることができる。
【００３４】
操作制御部１５は、操作部１９を介してオペレータにより入力される操作入力を読み取り、操作入力に応じた処理を実行する。ここで、図１に示したような火災報知設備において、オペレータは、発生したイベントに応じて適切な操作を実行し、火災情報の報知、消火作業の指示等を迅速に行うことが要求される。
【００３５】
本実施の形態１では、オペレータの操作性を改善することのできる構成を備えている。より具体的には、本実施の形態１に係る火災受信機は、情報発信源、操作方法等を文字表示によって報知するばかりでなく、イラスト画を併用して報知することで、操作性の改善を図ることを技術的特徴としている。すなわち、本実施の形態１に係る操作制御部１５は、オペレータの操作性を改善するイラストを表示部１８に表示させることができる。
【００３６】
そこで、以下では、具体的な文字およびイラスト画の表示内容に基づいて、本実施の形態１に係る火災受信機が実現する操作性改善機能について、画面例１〜画面例９を参照しながら詳細に説明する。
【００３７】
＜画面例１：火災断定スイッチに関する操作ガイダンス＞
図３は、本発明の実施の形態１において、火災断定スイッチに関する操作ガイダンスを表示した画面例１を示す図である。
【００３８】
図３における画面表示エリアは、上段の情報表示エリア１１０と、下段の操作表示エリア１２０とに大別される。また、操作表示エリア１２０は、左側の文字表示エリア１２０Ａと、右側のイラスト表示エリア１２０Ｂを含んでいる。また、文字表示エリア１２０Ａには、第１の操作１２１〜第７の操作１２７が文字表示されている場合を例示している。
【００３９】
図３に示した画面例１では、ある感知器からの発報に基づいて火災が発生したことを知らせる情報が情報表示エリア１１０に表示され、この情報に対応してオペレータが操作すべき内容が、文字表示エリア１２０Ａに表示されている。さらに、この画面例１では、オペレータが第１の操作１２１である「火災断定の解除」を行う際に、末尾の「？」マークを押すことで、イラスト表示エリア１２０Ｂ内に、第１の操作１２１に対応したイラスト画および補足説明が表示されている状態を例示している。
【００４０】
すなわち、操作制御部１５は、第１の操作１２１の末尾の「？」マークが操作された際には、イラスト表示エリア１２０Ｂ内に、第１の操作１２１に対応したイラスト画および補足説明を表示させる。この結果、オペレータは、イラスト表示エリア１２０Ｂに表示されたイラスト画および補足説明を参照して、第１の操作１２１を迅速に行うことができる。より具体的には、オペレータは、イラスト画および補足説明を参照することで、火災断定スイッチの配置場所を容易に理解し、迅速に火災断定スイッチを操作することが可能となる。
【００４１】
＜画面例２：遮断スイッチに関する操作ガイダンス＞
図４は、本発明の実施の形態１において、遮断スイッチに関する操作ガイダンスを表示した画面例２を示す図である。なお、図４における画面表示エリアの構成は、図３の構成と同一である。
【００４２】
図４に示した画面例２では、ある感知器からの発報に基づいて火災が発生したことを知らせる情報が情報表示エリア１１０に表示され、この情報に対応してオペレータが操作すべき内容が、文字表示エリア１２０Ａに表示されている。さらに、この画面例２では、オペレータが第２の操作１２２である「非常放送の遮断と連動・移報の一括遮断」を行う際に、末尾の「？」マークを押すことで、イラスト表示エリア１２０Ｂ内に、第２の操作１２２に対応したイラスト画および補足説明が表示されている状態を例示している。
【００４３】
すなわち、操作制御部１５は、第２の操作１２２の末尾の「？」マークが操作された際には、イラスト表示エリア１２０Ｂ内に、第２の操作１２２に対応したイラスト画および補足説明を表示させる。この結果、オペレータは、イラスト表示エリア１２０Ｂに表示されたイラスト画および補足説明を参照して、第２の操作１２２を迅速に行うことができる。より具体的には、オペレータは、イラスト画および補足説明を参照することで、遮断スイッチの配置場所を容易に理解し、迅速に遮断スイッチを操作することが可能となる。
【００４４】
＜画面例３：ベル音を停止するスイッチに関する操作ガイダンス＞
図５は、本発明の実施の形態１において、ベル音を停止するスイッチに関する操作ガイダンスを表示した画面例３を示す図である。なお、図５における画面表示エリアの構成は、図３および図４の構成と同一である。
【００４５】
図５に示した画面例３では、ある感知器からの発報に基づいて火災が発生したことを知らせる情報が情報表示エリア１１０に表示され、この情報に対応してオペレータが操作すべき内容が、文字表示エリア１２０Ａに表示されている。さらに、この画面例３では、オペレータが第３の操作１２３である「館内のベル音の停止」を行う際に、末尾の「？」マークを押すことで、イラスト表示エリア１２０Ｂ内に、第３の操作１２３に対応したイラスト画および補足説明が表示されている状態を例示している。
【００４６】
すなわち、操作制御部１５は、第３の操作１２３の末尾の「？」マークが操作された際には、イラスト表示エリア１２０Ｂ内に、第３の操作１２３に対応したイラスト画および補足説明を表示させる。この結果、オペレータは、イラスト表示エリア１２０Ｂに表示されたイラスト画および補足説明を参照して、第３の操作１２３を迅速に行うことができる。より具体的には、オペレータは、イラスト画および補足説明を参照することで、館内のベル音を止めるスイッチの配置場所を容易に理解し、迅速に館内のベル音を止めるスイッチを操作することが可能となる。
【００４７】
＜画面例４：発信機のリセットに関する操作ガイダンス＞
図６は、本発明の実施の形態１において、発信機のリセットに関する操作ガイダンスを表示した画面例４を示す図である。なお、図６における画面表示エリアの構成は、図３〜図５の構成と同一である。
【００４８】
図６に示した画面例４では、ある感知器からの発報に基づいて火災が発生したことを知らせる情報が情報表示エリア１１０に表示され、この情報に対応してオペレータが操作すべき内容が、文字表示エリア１２０Ａに表示されている。さらに、この画面例４では、オペレータが第４の操作１２４である「発信機の復旧」を行う際に、末尾の「？」マークを押すことで、イラスト表示エリア１２０Ｂ内に、第４の操作１２４に対応したイラスト画および補足説明が表示されている状態を例示している。
【００４９】
すなわち、操作制御部１５は、第４の操作１２４の末尾の「？」マークが操作された際には、イラスト表示エリア１２０Ｂ内に、第４の操作１２４に対応したイラスト画および補足説明を表示させる。この結果、オペレータは、イラスト表示エリア１２０Ｂに表示されたイラスト画および補足説明を参照して、第４の操作１２４を迅速に行うことができる。より具体的には、オペレータは、イラスト画および補足説明を参照することで、発信機をリセットする際の操作内容を容易に理解し、迅速に発信機の復旧操作を行うことが可能となる。
【００５０】
＜画面例５：復旧スイッチに関する操作ガイダンス＞
図７は、本発明の実施の形態１において、復旧スイッチに関する操作ガイダンスを表示した画面例５を示す図である。なお、図７における画面表示エリアの構成は、図３〜図６の構成と同一である。
【００５１】
図７に示した画面例５では、ある感知器からの発報に基づいて火災が発生したことを知らせる情報が情報表示エリア１１０に表示され、この情報に対応してオペレータが操作すべき内容が、文字表示エリア１２０Ａに表示されている。さらに、この画面例５では、オペレータが第７の操作１２７である「復旧スイッチを押し、平常状態を確認」する際に、末尾の「？」マークを押すことで、イラスト表示エリア１２０Ｂ内に、第７の操作１２７に対応したイラスト画および補足説明が表示されている状態を例示している。
【００５２】
すなわち、操作制御部１５は、第７の操作１２７の末尾の「？」マークが操作された際には、イラスト表示エリア１２０Ｂ内に、第７の操作１２７に対応したイラスト画および補足説明を表示させる。この結果、オペレータは、イラスト表示エリア１２０Ｂに表示されたイラスト画および補足説明を参照して、第７の操作１２７を迅速に行うことができる。より具体的には、オペレータは、イラスト画および補足説明を参照することで、復旧スイッチの配置場所を容易に理解し、迅速に復旧スイッチを操作するとともに、平常状態を確認することが可能となる。
【００５３】
なお、図３〜図７で例示したような各操作を熟知しているオペレータは、イラスト表示を行わせることなく、直ちに第１の操作１２１〜第７の操作１２７のいずれかを迅速に行うことができる。
【００５４】
換言すると、操作制御部１５は、イラスト表示を要求するオペレータからの操作入力があった場合には、イラスト表示を行わせる。この結果、第１の操作〜第７の操作に関する具体的な操作内容を熟知していないオペレータも、イラスト表示および補足説明表示を参照しながら、適切な操作を迅速に行うことができるようになる。
【００５５】
＜画面例６：保守電話による通話開始に関する操作ガイダンス＞
図８は、本発明の実施の形態１において、保守電話による通話開始に関する操作ガイダンスを表示した画面例６を示す図である。
【００５６】
図８における画面表示エリアは、上段のメニュー画面表示エリア１３０と、下段の操作表示エリア１２０とに大別される。また、操作表示エリア１２０は、上側の文字表示エリア１２０Ａと、下側のイラスト表示エリア１２０Ｂを含んでいる。
【００５７】
端末機器のひとつである発信機等に設けられた電話ジャックに電話器が取り付けられると、図８に示した画面例６のように火災受信機１０の操作表示エリア１２０に保守電話ガイドが表示される。ここでは、火災受信機１０に対して保守電話を接続し、通話を行いたい場合にオペレータが操作すべき内容が、文字表示エリア１２０Ａに表示されている。さらに、この画面例６では、オペレータが保守電話を用いた通話を行う際に必要となる具体的な操作が、イラスト表示エリア１２０Ｂ内にイラスト表示されている状態を例示している。
【００５８】
すなわち、操作制御部１５は、端末機器の電話ジャックに電話機が取り付けられると、保守電話の具体的な接続箇所を示したイラスト画を表示させる。この結果、オペレータは、イラスト表示エリア１２０Ｂに表示されたイラスト画を参照して、保守電話を用いた通話を迅速に行うことができる。より具体的には、オペレータは、イラスト画を参照することで、保守電話の電話ジャックを接続する場所を容易に理解し、迅速に保守電話を用いた通話を開始することが可能となる。
【００５９】
＜画面例７：保守電話による通話終了に関する操作ガイダンス＞
図９は、本発明の実施の形態１において、保守電話による通話終了に関する操作ガイダンスを表示した画面例７を示す図である。なお、図９における画面表示エリアの構成は、図８の構成と同一である。
【００６０】
図９に示した画面例７では、火災受信機１０に対して接続された保守電話による通話を終了したい場合にオペレータが操作すべき内容が、文字表示エリア１２０Ａに表示されている。さらに、この画面例６では、オペレータが保守電話を用いた通話を終了させる際に必要となる具体的な操作が、イラスト表示エリア１２０Ｂ内にイラスト表示されている状態を例示している。
【００６１】
すなわち、操作制御部１５は、通話を終了するための保守電話ガイドを表示させる操作に応じて、保守電話の具体的な接続解除箇所を示したイラスト画を表示させる。この結果、オペレータは、イラスト表示エリア１２０Ｂに表示されたイラスト画を参照して、保守電話を用いた通話の終了を迅速に行うことができる。より具体的には、オペレータは、イラスト画を参照することで、保守電話の電話ジャックを非接続状態とする場所を容易に理解し、迅速に保守電話を用いた通話を終了することが可能となる。
【００６２】
＜画面例８：非常電話による通話開始に関する操作ガイダンス＞
図１０は、本発明の実施の形態１において、非常電話による通話開始に関する操作ガイダンスを表示した画面例８を示す図である。
【００６３】
図１０における画面表示エリアは、上段の情報表示エリア１１０と、下段の操作表示エリア１２０とに大別される。また、操作表示エリア１２０は、上側の文字表示エリア１２０Ａと、下側のイラスト表示エリア１２０Ｂとを含んでいる。
【００６４】
図１０に示した画面例８では、非常電話の着信があったことに起因して、火災受信機１０の盤内に設けられている非常電話を用いて発信元と通話を行いたい場合にオペレータが操作すべき内容が、文字表示エリア１２０Ａに表示されている。さらに、この画面例８では、オペレータが非常電話を用いた通話を行う際に必要となる具体的な操作が、イラスト表示エリア１２０Ｂ内にイラスト表示されている状態を例示している。
【００６５】
すなわち、操作制御部１５は、非常電話の着信に応じて、具体的な操作内容を示したイラスト画を表示させる。この結果、オペレータは、イラスト表示エリア１２０Ｂに表示されたイラスト画を参照して、非常電話を用いた通話を迅速に行うことができる。より具体的には、オペレータは、イラスト画を参照することで、非常電話による通話を行う際に押す必要がある通話ボタンの位置を容易に理解し、迅速に非常電話を用いた通話を開始することが可能となる。
【００６６】
＜画面例９：情報発信源に関する操作ガイダンス＞
図１１は、本発明の実施の形態１において、情報発信源に関する操作ガイダンスを表示した画面例９を示す図である。
【００６７】
図１１における画面表示エリアは、上段の情報表示エリア１１０と、下段の操作表示エリア１２０とに大別される。また、操作表示エリア１２０は、上側の文字表示エリア１２０Ａと、下側のイラスト表示エリア１２０Ｂとを含んでいる。
【００６８】
図１１に示した画面例９では、発信機が押されたことで火災が発生したと判断された状態が情報表示エリア１１０に表示されている。また、オペレータが現場状況確認に基づいて火災であったか否かを断定する操作内容が、文字表示エリア１２０Ａに表示されている。さらに、この画面例９では、火災情報の発信源が、発信機であり、発信機が押されたことを示すイラスト画が、イラスト表示エリア１２０Ｂ内にイラスト表示されている状態を例示している。
【００６９】
すなわち、本実施の形態１に係る火災受信機は、これから操作すべき内容をイラスト表示するばかりでなく、例えばこの図１１に示したように、情報発信源をイラスト表示することができる。この結果、オペレータは、イラスト表示エリア１２０Ｂに表示されたイラスト画を参照して、発信機が操作されたことを迅速に確認し、火災断定処理を迅速に行うことができる。
【００７０】
以上のように、実施の形態１に係る火災受信機は、火災発生状況に応じた迅速な判断処理をオペレータが行うための一助となるイラスト表示機能を備えて構成されている。換言すると、実施の形態１に係る火災受信機は、複数の端末機器のそれぞれから受信した火災関連情報に基づいて、火災発生の有無をオペレータが判断するために必要な火災判断情報を表示させる際に、オペレータの操作性を改善する効果を発揮するイラスト表示機能を備えている。
【００７１】
このイラスト表示機能の具体例としては、以下のような第１のイラスト表示および第２のイラスト表示の少なくともいずれか一方を含むことができる。
（第１のイラスト表示）火災発生状況に応じて、オペレータがこれから実施すべき操作内容を具体的にイラスト表示するものであり、上述した画面例１〜画面例８が含まれる。
（第２のイラスト表示）どの端末装置が操作されたかをイラスト表示するものであり、上述した画面例９が含まれる。
【００７２】
この結果、実施の形態１に係る火災受信機は、第１のイラスト表示機能を有することで、オペレータに対して、火災発生状況に応じてどのような操作を行うべきかを、分かりやすく迅速に伝達することができる。
【００７３】
また、実施の形態１に係る火災受信機は、第２のイラスト表示機能を有することで、オペレータに対して、どの端末装置が操作されたかを、分かりやすく迅速に伝達することができる。
【００７４】
さらに、実施の形態１に係る火災受信機は、イラスト表示とともに、補足説明を付加的に文字表示させることもできる。この結果、操作経験の浅いオペレータに対する操作性の向上を実現できる。
【符号の説明】
【００７５】
１０  火災受信機、１１  受信部、１２  記憶制御部、１３  火災判定部、１４  表示制御部、１５  操作制御部、１６  記憶部、１７  報知部、１８  表示部、１９  操作部、２０  端末機器、１１０  情報表示エリア、１２０  操作表示エリア、１２０Ａ  文字表示エリア、１２０Ｂ  イラスト表示エリア、１３０  メニュー画面表示エリア。
【図１】
2020017044.tif 000003
【図２】
2020017044.tif 000004
【図３】
2020017044.tif 000005
【図４】
2020017044.tif 000006
【図５】
2020017044.tif 000007
【図６】
2020017044.tif 000008
【図７】
2020017044.tif 000009
【図８】
2020017044.tif 000010
【図９】
2020017044.tif 000011
【図１０】
2020017044.tif 000012
【図１１】
2020017044.tif 000013